(57)【要約】【課題】半身浴の際、お湯に浸からない上半身の保熱と発汗を促進させるために使用し、リラックスして半身浴が継続でき、さらに使用後も手入れの楽な半身浴用ジャケットを提供する。【解決手段】耐水性に優れた合成繊維に撥水加工を施した素材を用い、お湯に浸からない部分だけを覆うように裾はみぞおち程度までの丈、袖丈は半袖とした半身浴用ジャケットを提供する。必要最小限の裾丈及び袖丈を設定したジャケット型であるため浴槽内での動きが制限されること無く、リラックスして半身浴を継続することができる。また素材の特性により、濡れた部分が冷えて不快に感じるといったことや使用後の面倒な手入れも無くなる。【選択図】図４
2005330634.tif 000002
【特許請求の範囲】
【請求項１】
耐水性・撥水性に優れた合成繊維等を素材として、裾丈をみぞおち程度の長さとし、肩と二の腕を覆うように袖を設け、半身浴時にお湯につからない上半身の保熱と発汗を促すことを特徴とする半身浴用ジャケット。
【請求項２】
装着時に前面開口部が樹脂製のファスナーにより閉じられるようにし、更にそのファスナーを襟部分にまで延長することにより、襟を立てて使用し首の保熱もできることを特徴とする請求項１に記載の半身浴用ジャケット。
【請求項３】
襟後部分に、留め具により装着できるフードを付けたことを特徴とする請求項１又は２に記載の半身浴用ジャケット。
【発明の詳細な説明】
【技術分野】
【０００１】  この発明は、半身浴をする際に着用するジャケットに関する。
【背景技術】
【０００２】  半身浴はみぞおちより下だけお湯に浸かり、３０分〜４０分という比較的長時間入浴することにより、体の芯から温まり発汗を促進させるという入浴法である。
【発明の開示】
【発明が解決しようとする課題】
【０００３】  このような入浴法では浴室内の温度が低いときはなかなか上半身が温まらず、発汗するまでに時間がかかるため、従来はお湯に浸からない上半身にバスタオルをはおったりＴシャツを着用したりしていた。【０００４】  しかしながらバスタオルでは身体に固定しづらいため、ずれ落ちないようにするために浴槽内での動きが制限されてしまい、またバスタオルやＴシャツは吸水性のある素材を使用しているため、お湯を吸ってしまった場合にその濡れた部分が外気によって冷やされ不快に感じるものであった。さらに使用後は洗濯や脱水しなければならず、入浴が日常のことであることを考えると手入れが面倒である。【０００５】  そこで本発明は、上半身の冷えを防止しながら効率よく発汗作用を促進させ、リラックスして楽しみながら半身浴を継続できる半身浴用ジャケットを提供することを課題とする。
【課題を解決するための手段】
【０００６】  上記課題を解決するために、第一発明は耐水性のある合成繊維等に撥水加工を施した生地を使用し、お湯に浸からない上半身に着用し、その保熱をしながらも浴槽内での動きが制限されること無く、また例え本ジャケットがお湯に浸かったとしても吸水しないため、濡れた部分が外気によって冷やされ不快に感じるといったことも無く、さらに使用する度に洗濯や脱水しなければならないという面倒な手入れも不要となることを特徴とする半身浴用ジャケットである。【０００７】  また、第二発明は、前面開口部を樹脂製のファスナーで容易に閉じられるようにし、かつそのファスナーを襟の部分まで延長することにより、襟を立てた状態で着用することにより首部分の保熱もできることを特徴とする半身浴用ジャケットである。【０００８】  また、第三発明は、襟後部分に留め具により容易に取り付けることのできるフードを装着し、側頭部及び後頭部の保熱もできることを特徴とする半身浴用ジャケットである。
【発明の効果】
【０００９】  上記の発明によるとお湯に浸からない上半身が直接外気に触れないため、その保熱と発汗作用を促進させることができる。また、体温上昇後もこの半身浴用ジャケットを着用している事により、放熱を防ぐためサウナ効果も生まれる。【００１０】  さらに必要最小限の裾丈及び袖丈を設定したジャケット型であるため、お湯に浸からない上半身と肩や二の腕の冷えを防止しながらも、半身浴中も浴槽内での動きが制限されること無く、浴槽内で読書やマッサージ等の行動がとりやすく飽きずにリラックスして半身浴を継続することができる。【００１１】  また、耐水性・撥水性のある素材を使用することにより、例え本ジャケットがお湯に浸かったとしてもその部分から吸水するということが無いため、濡れた部分が外気によって冷やされ不快に感じることが無くなる。さらに乾きやすいという利点があるため、使用後の手入れは軽く水切りして干しておけば良いので、使用する度に洗濯や脱水しなければならないという、面倒な手入れも不要となる。
【発明を実施するための最良の形態】
【００１２】  以下、本発明に係る半身浴用ジャケットの好適な実施の形態について、添付図面を参照しながら詳細に説明する。【００１３】  図１は本発明の前面開口部を閉じた状態の全体構成を示すものであり、この半身浴用ジャケット本体１は耐水性の優れたナイロンやポリエステル等の合成繊維に撥水加工を施したものを素材とする。次に肩から裾までの高さ寸法２は、お湯に浸からない上半身のみを覆うように、肩からみぞおちまでの長さとするため３０ｃｍ程度の寸法を設定し、袖３の長さは、肩と二の腕の保熱できるように半袖丈を設定する。【００１４】  半身浴開始直後はお湯に浸からない上半身の体温がなかなか上昇せず、浴室内の温度が低い時は寒さを苦痛に感じるものであったが、本発明を着用することにより外気が直接肌に触れないため、お湯に浸からない上半身の防寒と保熱ができる。また、上半身の体温が上昇した後も放熱を防止することができるので、サウナ効果が生じ、より発汗作用を促進させる。【００１５】  このようなジャケット型にすることにより、半身浴中に身体からずれ落ちるということもなく、また浴槽内のお湯に浸からない程度の必要最小限の裾丈及び袖丈を設定したことにより、浴槽内での動きが制限されずに読書やマッサージ等の行動が取りやすいため、飽きずにリラックスして半身浴を継続することが可能となる。【００１６】  また、例え半身浴中にこの半身浴用ジャケットが浴槽内のお湯に浸かったとしても、素材の特性によりその部分から吸水するということが無いため、濡れた部分が外気によって冷やされ不快に感じるといったことが無くなる。さらにこの素材には乾きやすいという利点があるため、使用する度にわざわざ洗濯や脱水しなければならないという使用後の面倒な手入れも不要となる。【００１７】  次にジャケットの着脱を容易に行えるように、前面開口部は合成樹脂のファスナー４によって閉じられるものとする。このファスナーを金属製とした場合、浴室内の温度が低い時は、冷えたファスナーが身体に当たるとその冷たさを不快に感じることがあると考えられるため、金属製ファスナーは用いないのが望ましい。さらに、裾と袖口をゴムや紐により絞れるようにし、蓄熱効果を高めるようにすることもできる。【００１８】  図２は本発明の襟部分まで延長したファスナー６を閉じ、襟５を立てた状態の正面図である。これは、頭髪の長い女性等は入浴時に髪を束ねることがあるため、その際露出した首や襟足も保温するために、襟を立てて使用できるようにしたものである。【００１９】  図３は半身浴用ジャケット本体１にフード７を装着した場合の背面図である。このフード７は、半身浴用ジャケット本体１と同素材からなり、スナップボタン８等の留め具により襟後部分に簡単に取り付けることが可能である。ここでは留め具をスナップボタン８としているが、他にも容易に取り付けることができるものであれば例えばマジックテープ（登録商標）等を用いても良い。このフード７を装着することにより側頭部や後頭部の保温も可能となる。
「実施形態の効果」【００２０】  この実施形態によれば、この半身浴用ジャケットを着用することによりお湯に浸からない上半身の保熱ができることにより、浴室内の温度が低い時でも短時間での発汗作用を促進させる。
また上半身の体温上昇後も放熱を防ぐことができるためサウナ効果が生まれ、より効率のよい保熱と発汗作用を促す。【００２１】  さらに必要最小限の裾丈及び袖丈を設定することにより、お湯に浸からない上半身や肩と二の腕の冷えを防止しながらも、浴槽内での動きが制限されないため、読書や脚部のマッサージ等の行動が取りやすく、長時間の半身浴も飽きずにリラックスして継続することができる。【００２２】  また、素材の特性により、例えこの半身浴用ジャケットがお湯に浸かったとしてもその部分から吸水するということが無くなるため、濡れた部分が外気によって冷やされ不快に感じることが無くなる。さらに使用後の手入れは軽く水切りして干しておくだけで乾きやすいので、使用する度に洗濯や脱水しなければならないという、使用後の面倒な手入れも不要となる。
【図面の簡単な説明】
【００２３】
【図１】本発明の前面開口部を閉じた状態の正面図である。
【図２】本発明の襟部分まで延長したファスナーを閉じた状態の図である。
【図３】本発明にフードを装着した状態の背面図である。
【図４】本発明を装着した際の説明図である。
【符号の説明】
【００２４】  １  半身浴用ジャケット本体            ２  肩から裾までの高さ
３  袖                                ４  ファスナー
５  襟                                ６  襟部分のファスナー
７  フード                            ８  スナップボタン
【図１】
2005330634.tif 000003
【図２】
2005330634.tif 000004
【図３】
2005330634.tif 000005
【図４】
2005330634.tif 000006